(57)【要約】【課題】  回路構成の大型化を招来することなくＥＭＩ対策が可能となるラジオ受信装置を実現する。【解決手段】  ファンクション選択スイッチ１２によってラジオファンクション以外のファンクションが選択されている時（例えば、ＣＤ出力の選択時）には、コントロール用マイクロコンピュータ１３によってラジオ回路１１の受信周波数がＥＭＩ規格の規制外の周波数（例えば、ＡＭ（ＭＷ）の受信周波数）に変更される。【選択図】  図１
2005311684.tif 000002
【特許請求の範囲】
【請求項１】
少なくともラジオファンクションを含む複数のファンクションを有するラジオ受信装置において、
受信周波数を変更することで、任意の周波数の放送波を選択的に受信する受信手段と、
上記複数のファンクションのうち、任意のファンクションを選択して実行するファンクション選択手段と、
上記ファンクション選択手段によってラジオファンクション以外のファンクションが選択されている時には、上記受信手段の受信周波数をＥＭＩ規格の規制外の周波数に変更することで不要輻射の発生を防ぐ周波数制御手段とを有することを特徴とするラジオ受信装置。
【請求項２】
上記受信手段は、ＦＭ放送波とＡＭ放送波との受信を可能とするものであり、
上記ファンクション選択手段によってラジオファンクション以外のファンクションが選択されている時には、上記周波数制御手段は、上記受信手段の受信周波数をＡＭ放送波受信時の周波数に変更することを特徴とする請求項１に記載のラジオ受信装置。
【請求項３】
上記受信手段は、シンセサイザラジオであることを特徴とする請求項１に記載のラジオ受信装置。
【発明の詳細な説明】
【技術分野】
【０００１】
本発明は、少なくともラジオファンクションを有し、さらにそれ以外のファンクション（ＭＤ、ＣＤ等）を有するラジオ受信装置に関するものである。
【背景技術】
【０００２】
従来から、ラジオファンクションと、ＭＤ、ＣＤ等のラジオ以外のファンクションとを有するステレオ機器が広く使われている。このようなステレオ機器では、ユーザがその時々で使用するファンクションを選択切替えできるようになっている。
【０００３】
このようなステレオ機器で採用される従来のラジオ受信装置の要部構成を図２に示す。図２に示すラジオ受信装置は、ラジオ回路１０１、電源ＯＮ／ＯＦＦスイッチ１０２、ファンクション切替スイッチ１０３、およびコントロール用マイクロコンピュータ１０４を備えている。
【０００４】
上記ラジオ回路１０１は例えばシンセサイザラジオであり、ＢＡＮＤ（例：ＦＭ／ＡＭ）切り替え回路、同調回路、及び検波回路等が含まれており、コントロール用マイクロコンピュータ１０４の制御によってＢＡＮＤ及び同調周波数を切り替えることができる。
【０００５】
電源ＯＮ／ＯＦＦスイッチ１０２は、コントロール用マイクロコンピュータ１０４の制御によりラジオ回路１０１に供給される電源ＶｄｄをＯＮ／ＯＦＦする。また、ファンクション切り替えスイッチ１０３は、コントロール用マイクロコンピュータ１０４の制御によりファンクションを切り替える。コントロール用マイコン１０４は、ラジオ回路１０１、電源ＯＮ／ＯＦＦスイッチ１０２、ファンクション切り替えスイッチ１０３の制御を実行する。
【０００６】
また、現在のＥＭＩ（Electro-Magnetic Interference）規制においては、ラジオ局発に対する規制値と、その他のデジタルノイズ（クロックノイズ）に対する規制値には差が有り、デジタルノイズに対する規制の方がＲＡＤＩＯ局発に対する規制値より厳しい規制値が設定されている。
【０００７】
尚、ラジオＥＭＩに関する公知文献としては、例えば特許文献１のように、通常動作時（ラジオファンクション利用時）に、ラジオファンクション以外からラジオに与える影響（例えば、ＣＤクロックノイズによるラジオ受信状態の悪化）を排除する目的のものが多く見受けられる。
【発明の開示】
【発明が解決しようとする課題】
【０００８】
しかしながら、上記従来のラジオ受信装置の構成では、以下の問題を生じる。すなわち、ラジオ、ＭＤ、ＣＤ等を内蔵したステレオ機器において、ラジオファンクション以外のファンクション（例えば、ＣＤファンクション）を利用している時に、ラジオ局発が発振していると、該ラジオ局発の発振レベルがデジタルノイズに対する規制値を超える可能性がある。
【０００９】
これを具体的に説明すると以下のとおりである。ここで、以下の表１は、例として欧州ＥＭＩ規格におけるラジオ局発（ＦＭ局発）の規制値とその他のクロックノイズに対する規制値とを示すものである。
【００１０】
【表１】
2005311684.tif 000003
【００１１】
上記ラジオ局発の発振レベルは、ラジオファンクションを利用している場合にはラジオ局発としての規制を受けるが、ラジオ以外のファンクションを利用している場合には、その他のクロックノイズとしての規制を受けることになる。そして、上記表１のＥＭＩ規格では、ＦＭ局発の規制値とその他のクロックノイズに対する規制値とには差があり、ラジオファンクションに対する規制値（すなわち、ＦＭ局発に対する規制値）が、その他のクロックに対する規制値と比較して高い値に設定されていることがわかる。
【００１２】
このため、上記規格によると、ラジオ局発の発振レベルは、ラジオファンクションを利用している時はＥＭＩ規格の規制値を満たすものであったとしても、ラジオ以外のファンクションを利用している時にはＥＭＩ規格の規制値を越えるものとなる可能性がある。
【００１３】
上記図２にしめすラジオ受信装置では、ラジオ回路１０１に供給される電源ＶｄｄをＯＮ／ＯＦＦする電源ＯＮ／ＯＦＦスイッチ１０２を有している。これは、上記ラジオ受信装置においてラジオファンクション以外のファンクションを利用する時には、ラジオ回路１０１の電源をＯＦＦとし、ラジオ局発を停止させることでＥＭＩ規格の規制値を満たそうとするものである。
【００１４】
しかしながら、この手法ではラジオ回路１０１の電源供給をカットするために、電源ＯＮ／ＯＦＦスイッチ１０２等の電源遮断回路を設けなければならず、装置の回路構成が大型化するといった問題を招来する。
【００１５】
本発明は、上記の問題点に鑑みてなされたものであり、その目的は、回路構成の大型化を招来することなくＥＭＩ対策が可能となるラジオ受信装置を実現することにある。
【課題を解決するための手段】
【００１６】
本発明に係るラジオ受信装置は、上記課題を解決するために、少なくともラジオファンクションを含む複数のファンクションを有するラジオ受信装置において、受信周波数を変更することで、任意の周波数の放送波を選択的に受信する受信手段と、上記複数のファンクションのうち、任意のファンクションを選択して実行するファンクション選択手段と、上記ファンクション選択手段によってラジオファンクション以外のファンクションが選択されている時には、上記受信手段の受信周波数をＥＭＩ規格の規制外の周波数に変更することで不要輻射の発生を防ぐ周波数制御手段とを有することを特徴としている。
【００１７】
上記の構成によれば、上記ファンクション選択手段によってラジオファンクション以外のファンクションが選択されている時には、上記周波数制御手段によって上記受信手段の受信周波数（すなわち、受信手段から発振される周波数）がＥＭＩ規格の規制外の周波数に変更される。
【００１８】
このため、ラジオファンクション以外のファンクション選択時に、受信手段における電源供給を遮断することなくＥＭＩ規格の規制値を満たすことが可能となり、電源遮断のための回路を追加すること無く、ＥＭＩ対策が可能となる。
【００１９】
また、上記ラジオ受信装置では、上記受信手段は、ＦＭ放送波とＡＭ放送波との受信を可能とするものであり、上記ファンクション選択手段によってラジオファンクション以外のファンクションが選択されている時には、上記周波数制御手段は、上記受信手段の受信周波数をＡＭ放送波受信時の周波数に変更する構成とすることが好ましい。
【００２０】
上記の構成によれば、ＡＭ（ＭＷ）の局発周波数範囲は、約９００ｋＨｚ−２２００ｋＨｚであり、ＥＭＩ規制周波数の最低周波数３０ＭＨｚと比較して充分低い周波数であるため、ＡＭ（ＭＷ）の局発周波数の高調波を考慮しても、ＡＭ（ＭＷ）の局発がＥＭＩ規制に影響を与えることは無い。
【００２１】
また、上記ラジオ受信装置では、上記受信手段は、シンセサイザラジオであることが好ましい。
【００２２】
上記の構成によれば、周波数制御手段としてマイクロコンピュータが用いられ、このマイクロコンピュータの仕様を変更することのみで、ラジオファンクション以外のファンクション利用時におけるＥＭＩ対策が可能となる。
【発明の効果】
【００２３】
本発明のラジオ受信装置では、上記ファンクション選択手段によってラジオファンクション以外のファンクションが選択されている時には、上記周波数制御手段によって上記受信手段の受信周波数（すなわち、受信手段から発振される周波数）がＥＭＩ規格の規制外の周波数に変更される。
【００２４】
このため、ラジオファンクション以外のファンクション選択時に、受信手段における電源供給を遮断することなくＥＭＩ規格の規制値を満たすことが可能となり、電源遮断のための回路を追加すること無く、ＥＭＩ対策が可能となるといった効果を奏する。
【発明を実施するための最良の形態】
【００２５】
本発明の一実施形態について図１に基づいて説明すると以下の通りである。まずは、本実施の形態に係るラジオ受信装置の要部構成を図１に示す。またここでは、本発明に係るラジオ受信装置を、ラジオ、ＭＤ、ＣＤ等を内蔵したステレオ機器において適用した場合を例示する。
【００２６】
図１に示すラジオ受信装置は、ラジオ回路１１、ファンクション切替スイッチ１２、およびコントロール用マイクロコンピュータ１３を備えている。
【００２７】
ラジオ回路１１は、例えばシンセサイザラジオであり、ＢＡＮＤ（例：ＦＭ／ＡＭ）切り替え回路、同調回路、及び検波回路等が含まれており、コントロール用マイクロコンピュータ１３の制御によってＢＡＮＤ及び同調周波数を切り替えることで、任意のラジオ局の放送を受信できるようになっている。
【００２８】
ファンクション切替スイッチ１２は、ラジオ出力、ＣＤ出力、およびＭＤ出力と接続されており、コントロール用マイクロコンピュータ１３の制御によりファンクションを切り替える。すなわち、ファンクション切替スイッチ１２は、コントロール用マイクロコンピュータ１３の制御により、ラジオ出力、ＣＤ出力、およびＭＤ出力の中の何れか一つをファンクション出力として選択し、出力するものである。尚、上記ＣＤ出力およびＭＤ出力は図示しないＣＤ再生部およびＭＤ再生部から出力されている。
【００２９】
コントロール用マイコン１３は、ラジオ回路１１およびファンクション切り替えスイッチ１２の制御を実行する。
【００３０】
上記図１に示すラジオ受信装置は、図２に示す従来のラジオ受信装置とは異なり、ラジオ回路に供給される電源をＯＮ／ＯＦＦするための電源ＯＮ／ＯＦＦスイッチを有していない。このため、図１に示すラジオ受信装置は、ラジオ以外のファンクションが選択されている場合であっても、ラジオ局発が発振している状態となっている。
【００３１】
したがって、上記ラジオ受信装置では、ラジオファンクション以外のファンクション（例えば、ＣＤファンクション）としている時、ラジオ局発の発振レベルがデジタルノイズに対するＥＭＩ規制値を超えないように対策を講じる必要がある。
【００３２】
上記ラジオ受信装置では、ラジオファンクション以外のファンクション利用時において、ＥＭＩ規制値を満足するために、ラジオ回路１１の受信バンドをＦＭ以外（例えばＡＭ）とし、その受信周波数（同調周波数）を任意の周波数（例えば、最低受信周波数）に設定することで、ＥＭＩの規制を満足することができる。このような受信バンドおよび受信周波数の制御は、コントロール用マイクロコンピュータ１３により実行される。
【００３３】
ここで、ラジオ回路１１の受信バンドおよび受信周波数を制御することにより、ＥＭＩ規制を満足することが可能となるのは、以下の理由による。すなわち、ＥＭＩ規格によって規制される周波数には制限があり、規制周波数の最低周波数３０ＭＨｚである。このため、上記ラジオ受信装置において、ラジオ回路１１の発振周波数が３０ＭＨｚ未満であれば、その発振レベルに関係なくＥＭＩ規制を満たすことになる。
【００３４】
例えば、上記ラジオ受信装置において、ラジオファンクション以外のファンクションが利用される時、ラジオ回路１１の受信バンドをＡＭとすれば、ＡＭ（ＭＷ）の局発周波数範囲は、約９００ｋＨｚ−２２００ｋＨｚであり、ＥＭＩ規制周波数の最低周波数３０ＭＨｚと比較して充分低い周波数である。このため、ＡＭ（ＭＷ）の局発周波数の高調波を考慮しても、ＡＭ（ＭＷ）の局発がＥＭＩ規制に影響を与えることは無い。
【００３５】
以上の構成より、ラジオ、ＭＤ、ＣＤ等を内蔵したステレオ機器において、制御用マイクロコンピュータによってラジオの周波数制御を行うことにより、該ステレオ機器がラジオファンクション以外のファンクションを利用している時であっても、ラジオ回路への電源を遮断することなくＥＭＩ規制に対する対応が可能となる。このため、電源遮断のための付加回路を追加することなく、ＥＭＩ規制に対応したラジオ受信装置を提供できる。
【００３６】
特に、本実施の形態に係るラジオ受信装置では、ラジオ回路としてシンセサイザラジオを使用している。このため、上記ラジオ受信装置では、ラジオファンクション以外のファンクション利用時において、コントロール用マイクロコンピュータの仕様を変更することのみでＥＭＩ対策が可能となる。
【図面の簡単な説明】
【００３７】
【図１】本発明の実施形態を示すものであり、ラジオ受信装置の要部構成を示すブロック図である。
【図２】従来のラジオ受信装置の要部構成を示すブロック図である。
【符号の説明】
【００３８】
１１    ラジオ回路（受信手段）
１２    ファンクション選択スイッチ（ファンクション選択手段）
１３    コントロール用マイクロコンピュータ（周波数制御手段）
【図１】
2005311684.tif 000004
【図２】
2005311684.tif 000005